(57)【要約】【課題】  収納スペース内を吸湿消臭することができて人に不快感を与えることを防ぎ、同吸湿消臭機能を発揮する吸湿消臭シートを取り外して清掃することもでき、その機能を長期にわたって維持することができる収納扉を提供する。【解決手段】  収納スペースＳの出し入れ開口部１に付設される開閉自在な収納扉Ｔであって、扉本体パネル２の収納スペースＳ側を向く裏面３に吸湿消臭シート４を着脱自在に貼着してなるものである。この場合、複数枚の扉本体パネル２を折り畳み自在に枢支連結してなる収納扉Ｔであって、各扉本体パネル２に吸湿消臭シート４を貼着配設している。【選択図】図１
2006257860.tif 000002
【特許請求の範囲】
【請求項１】
収納スペースの出し入れ開口部に付設される開閉自在な収納扉であって、扉本体パネルの収納スペース側を向く裏面に吸湿消臭シートを着脱自在に貼着してなる収納扉。
【請求項２】
複数枚の扉本体パネルを折り畳み自在に枢支連結してなる収納扉であって、各扉本体パネルに吸湿消臭シートを貼着配設したことを特徴とする請求項１記載の収納扉。
【請求項３】
いずれも不織布でなる表層、中層、裏層の三層にて吸湿消臭シートの基材を形成し、中層の不織布の密度を表層、裏層の不織布の密度よりも高くすると共に、この中層には吸湿加工及び消臭加工を施して吸湿消臭シートとなし、その裏層側を扉本体パネルに貼着したことを特徴とする請求項１又は２記載の収納扉。
【請求項４】
中層となる不織布に吸湿剤を含浸させて吸湿加工を施し、この中層となる不織布の表側に消臭塗料を塗布して消臭加工を施し、同中層となる不織布の両面側に表層、裏層となる不織布を積層一体化して吸湿消臭シートとなしたことを特徴とする請求項３記載の収納扉。
【発明の詳細な説明】
【技術分野】
【０００１】
本願発明は、収納スペースの出し入れ開口部に付設される開閉自在な収納扉に関するものである。
【背景技術】
【０００２】
従来から、特開２００１−１４９１５９号公報に示される如く、調湿機能を有する収納扉が知られている。この収納扉は、図１０に示す如く、収納スペースＳの出し入れ開口部１に付設される開閉自在な収納扉Ｔであって、扉本体パネル２の収納スペースＳ側を向く裏面３に調湿材１８を備えたものである。この場合、調湿材１８は板状の成形体で、鹿沼土、粘土、ガラス質を成形原料としてプレス成形されたものであり、扉本体パネル２の裏面３だけでなく、脱衣収納カゴ１９が収容載置される収納スペースＳの内壁面にも貼着されている。したがって、このような収納装置にあっては、収納装置内（収納スペースＳ）の収納物の品質劣化が起こらないように、又、装置自体が変形しにくいようにすることができ、しかも、収納装置が設置された空間の調湿をすることも可能なので人に不快感を与えにくくなるとされている。
【０００３】
しかしながら、前記収納扉Ｔにあっては、板状の調湿材１８が扉本体パネル２の裏面３（収納スペースＳの内壁面と同様）に接着固定されており、そのため、同調湿材１８を取り外して清掃することができず、その調湿（吸湿、放湿）機能を長期にわたって維持し難いものであった。又、この場合、調湿機能であって消臭機能を発揮するものではなく、収納スペースＳ内にこもった臭気を吸収することができず、人に不快感を与えないように防臭することはできないものであった。
【特許文献１】特開２００１−１４９１５９号公報
【発明の開示】
【発明が解決しようとする課題】
【０００４】
本願発明は、上記背景技術に鑑みて発明されたものであり、その課題は、収納スペース内を吸湿消臭することができて人に不快感を与えることを防ぎ、同吸湿消臭機能を発揮する吸湿消臭シートを取り外して清掃することもでき、その機能を長期にわたって維持することができる収納扉を提供することである。
【課題を解決するための手段】
【０００５】
上記課題を解決するために、本願発明は、収納スペースの出し入れ開口部に付設される開閉自在な収納扉であって、扉本体パネルの収納スペース側を向く裏面に吸湿消臭シートを着脱自在に貼着してなるものである。
【発明の効果】
【０００６】
本願発明の収納扉においては、扉本体パネルの収納スペース側を向く裏面に吸湿消臭シートが貼着されているので、収納スペース内を吸湿及び消臭することができて人に不快感を与えることが防止され、しかも、同吸湿消臭シートは着脱自在に貼着されているので、この吸湿消臭シートを取り外して清掃することができ、その吸湿消臭機能を長期にわたって維持することも可能となる。
【発明を実施するための最良の形態】
【０００７】
図１〜３は、本願の請求項１〜４全てに対応した第一の実施形態である収納扉Ｔに関する構成を示している。この実施形態の収納扉Ｔは、図１に示す如く、収納スペースＳの出し入れ開口部１に付設される開閉自在な収納扉Ｔであって、扉本体パネル２の収納スペースＳ側を向く裏面３に吸湿消臭シート４を着脱自在に貼着してなるものである。この場合、複数枚の扉本体パネル２を折り畳み自在に枢支連結してなる収納扉Ｔであって、各扉本体パネル２に吸湿消臭シート４を貼着配設している。
【０００８】
又、この実施形態の収納扉Ｔでは、図２に示す如く、いずれも不織布ａ１、ａ２でなる表層５、中層６、裏層７の三層にて吸湿消臭シート４の基材を形成し、中層６の不織布ａ１の密度を表層５、裏層７の不織布ａ２の密度よりも高くすると共に、この中層６には吸湿加工及び消臭加工を施して吸湿消臭シート４となし、その裏層７側を扉本体パネル２の裏面３に貼着している。しかも、この場合、中層６となる不織布ａ１に吸湿剤を含浸させて吸湿加工を施し、この中層６となる不織布ａ１の表側に消臭塗料８を塗布して消臭加工を施し、同中層６となる不織布ａ１の両面側に表層５、裏層７となる不織布ａ２を各々積層一体化して吸湿消臭シート４となしている。
【０００９】
以下、この実施形態の収納扉Ｔを、より具体的詳細に説明する。この実施形態の収納扉Ｔは、図１に示す如く、収納家具（クローゼット）の出し入れ開口部１を開閉するものである。この収納家具は、前方に開口（出し入れ開口部１）した箱体９を台輪体１０上に設置してなり、同箱体９内の上部には棚板体１１で仕切られた物載置スペースが形成されている。なお、この収納家具の収納スペースＳ内には衣服や衣料小物等が収納されるもので、同収納家具は横方向に複数並設設置されてもよい。
【００１０】
収納家具の出し入れ開口部１に付設される収納扉Ｔは二つ折り扉であり、二枚の扉本体パネル２が丁番１２を介して折り畳み自在に枢支連結されている。この収納扉Ｔでは、一方の扉本体パネル２の外側端部が出し入れ開口部１の開口縁部に丁番１２を介して枢支連結され、他方の扉本体パネル２から開閉動作されるものである。又、両扉本体パネル２の裏面３には各々吸湿消臭シート４が貼着されており、この場合、収納スペースＳの前記棚板体１１より下側のスペースに対応する高さ位置に貼着配設されている。なお、両扉本体パネル２の裏面３に貼着配設された吸湿消臭シート４は、収納扉Ｔが折り畳まれて開けられた際、相互に当接してその際の衝撃を和らげ騒音の発生をも防止するものであるが、両吸湿消臭シート４は相互に干渉しないように各々貼着されてもよい。
【００１１】
吸湿消臭シート４は、図２に示す如く、表層５、中層６、裏層７の三層で構成され、中層６の不織布ａ１の密度が表層５、裏層７の不織布ａ２の密度よりも高い。この場合、表層５、中層６、裏層７の各不織布ａ１、ａ２はいずれも再生ポリエステル繊維（ポリエステル繊維は湿気等での伸縮性及び寸法安定性、耐久性に優れる）でなり、表層５、裏層７の不織布ａ２は目付１５０〜２００ｇ／ｍ２で同じ材料のもの、中層６の不織布ａ１は目付約４００ｇ／ｍ２のものである。そして、中層６となる不織布ａ１には吸湿剤を含浸させて吸湿加工が施され、この場合、アクリル酸ナトリウムを主成分とする共重合ポリマーが水に溶解された材料である吸湿剤を約４００ｇ／ｍ２樹脂含浸させている。次に、同中層６となる不織布ａ１の表側に、水溶性タイプの消臭塗料８を約１００ｇ／ｍ２塗布して消臭加工が施される。
【００１２】
前記吸湿加工及び消臭加工が施された中層６となる不織布ａ１の両面側に、表層５、裏層７となる不織布ａ２をニードルパンチ加工（接着よりも安価で繊維素材の特徴をそのまま活かせる）で積層一体化して吸湿消臭シート４が形成され、前記中層６となる不織布ａ１は露出しない。この場合、前記消臭塗料８は覆われ保護されて消臭性能品質が安定し、外観色の選択巾も広がる。又、この吸湿消臭シート４は、その中層６の密度が高くて腰があり、伸張させやすくてその裏層７側を扉本体パネル２の裏面３に貼着させやすいものである。この場合、図２（ｂ）に示す如く、吸湿消臭シート４側の面ファスナー１６を扉本体パネル２側の面ファスナー１７に着脱自在に係止して貼着させている。
【００１３】
前記吸湿消臭シート４の調湿性能は２００ｇ／ｍ２（吸湿量２００ｇ／ｍ２、放湿量２００ｇ／ｍ２…なお、この場合、２５℃５０％養生２４Ｈ→２５℃９０％吸湿２４Ｈ→２５℃５０％放湿２４Ｈ）であり、収納家具の収納スペースＳ内に収納される衣服や衣料小物等のカビ発生や湿気が効果的に防止される。すなわち、生活で快適な湿度は４０〜７０％（理想は４０〜６０％）といわれており、前記の如く、高湿域での調湿性があるので、ダニやカビや結露の発生が有効に抑制される。又、吸湿消臭シート４の消臭性能は、アンモニアや酢酸等の不快臭を低減する効果がある。例えば、アンモニア（トイレ臭）、酢酸（汗臭）、硫化水素（肉の腐敗臭）、アセトアルデヒド（タバコ臭の一部）等の臭気ガスによる悪臭を防臭する効果がある。
【００１４】
吸湿消臭シート４は、図３に示す如く、全体として縦長で柔軟なシートであり、例えば、巾２００ｍｍ、長さ１２５０ｍｍ、厚さ５〜６ｍｍの寸法に形成され、その四隅部分がＲ形状に加工されている。そして、図３（ａ）に示す如く、吸湿消臭シート４の表側の下端付近には湿気センサー１３が付設されている。湿気センサー１３は、湿気の吸収量が多くなるとその色がブルーからピンクに変化するもので、吸湿消臭シート４と共に天日干しすれば吸湿性能が復元して繰り返し使用することができるものである。この場合、図３（ｃ）に示す如く、シート状の湿気センサー１３上に防湿フィルム１４を重ねてその周囲を吸湿消臭シート４に縫い付けて付設固定しており、同防湿フィルム１４に形成された開口窓部１５から湿気センサー１３を露出させている。
【００１５】
又、吸湿消臭シート４の裏側には、図３（ｂ）に示す如く、一方の面ファスナー１６が貼着固定される。この面ファスナー１６は短冊状で、吸湿消臭シート４の裏側に上下方向で等間隔に複数（この場合は四つ）貼着されている。この一方の面ファスナー１６に着脱自在に係止される他方の面ファスナー１７（図２（ｂ）参照）が、同面ファスナー１６に対応する位置で扉本体パネル２の裏面３に貼着固定される。なお、面ファスナー１６、１７は、収納家具の設置施工時に貼着固定されてもよいし、製造時に工場で予め貼着固定されていてもよく、吸湿消臭シート４もこれ等面ファスナー１６、１７と同様に収納家具の設置施工時、製造時のいずれに貼着されてもよい。
【００１６】
したがって、この実施形態の収納家具における収納扉Ｔでは、扉本体パネル２の同収納家具の収納スペースＳ側を向く裏面３に吸湿消臭シート４が貼着されているので、収納スペースＳ内を吸湿及び消臭することができてダニやカビや結露の発生を防止することができ、同収納扉Ｔを開閉する使用者やその周囲の人に不快感を与えることが防止される。しかも、前記吸湿消臭シート４は着脱自在に貼着されているので、同吸湿消臭シート４を取り外して清掃することができ、天日干しすることによりその吸湿消臭機能を長期にわたって維持することも可能となり、その際の清掃時期を湿気センサー１３にて確認することができる。又、この場合、複数枚の扉本体パネル２を折り畳み自在に枢支連結してなる収納扉Ｔであって、各扉本体パネル２に吸湿消臭シート４を貼着配設しているため、収納家具の収納スペースＳ内を効率的に吸湿及び消臭することができる。
【００１７】
又、この実施形態の収納扉Ｔでは、いずれも不織布ａ１、ａ２でなる表層５、中層６、裏層７の三層にて吸湿消臭シート４の基材を形成し、中層６の不織布ａ１の密度を表層５、裏層７の不織布ａ２の密度よりも高くしているため、同吸湿消臭シート４はその中層６部分が硬くなって腰があり、伸張させやすくて扉本体パネル２の裏面３に貼着させやすいものである。しかも、前記中層６には吸湿加工及び消臭加工を施して吸湿消臭シート４となし、その裏層７側を扉本体パネル２に貼着しているため、同中層６となる不織布ａ１が露出せず保護されて消臭性能品質が安定し、外観色の選択巾も広がる。
【００１８】
更に、この場合、中層６となる不織布ａ１に吸湿剤を含浸させて吸湿加工を施し、この不織布ａ１の表側に消臭塗料８を塗布して消臭加工を施しているので、同不織布ａ１の両面側に表層５、裏層７となる不織布ａ２を積層一体化して簡単に吸湿消臭シート４を形成することができ、同消臭塗料８は覆われ保護されて消臭性能品質が安定し、不織布ａ２による外観色の選択巾も広がる。
【００１９】
図４〜６は、本願の請求項１〜４全てに対応した第二の実施形態である収納扉Ｔに関する構成を示している。この実施形態の収納扉Ｔは二枚の扉本体パネル２を折り畳み自在に枢支連結してなる二つ折り扉であって、納戸のような部屋として区画された収納スペースＳの出し入れ開口部１に二つ配設されており、両収納扉Ｔを構成する各扉本体パネル２の裏面３各々の中程に吸湿消臭シート４が貼着されている。
【００２０】
この場合、出し入れ開口部１の周囲は両側枠２０と上枠２１、下枠２２で囲まれており、上枠２１には吊り下げレール２３が下枠２２にはガイドレール２４が各々設けられている。そして、各収納扉Ｔの両側上端には吊り下げランナー２５が両側下端にはガイドランナー２６が各々設けられており、各吊り下げランナー２５が吊り下げレール２３に各ガイドランナー２６がガイドレール２４に各々走行自在に係合されることによって、両収納扉Ｔは各々外側へ折り畳まれるよう開閉自在に吊り下げ支持されている。
【００２１】
また、前記の場合、収納扉Ｔの外側に位置する吊り下げランナー２５或いはガイドランナー２６が吊り下げレール２３、ガイドレール２４に走行しないように固定されてもよいものである。そして、収納扉Ｔの一方の扉本体パネル２の表面には、その枢支連結部位付近において中程高さ位置に把手２７が突設されている。なお、それ以外は、上記第一の実施形態と同様に構成されており、上記第一の実施形態におけると同様の作用効果が奏される。
【００２２】
図７〜９は、本願の請求項１、３、４に対応した第三の実施形態である収納扉Ｔに関する構成を示している。この実施形態の収納扉Ｔは一枚の扉本体パネル２でなる開き戸であって、内部が収納スペースＳとなる収納家具の出し入れ開口部１に両開き戸として二つ対に配設されており、同収納家具は前方に開口（出し入れ開口部１）した箱体９を台輪体１０上に設置してなる。そして、両収納扉Ｔすなわち両扉本体パネル２の裏面各々の中程に吸湿消臭シート４が貼着されており、両収納扉Ｔは扉本体パネル２の外側端部が出し入れ開口部１の開口縁部に丁番１２を介して枢支連結され、同扉本体パネル２の内側端部を前後に回動させ開き戸として開閉動作されるものである。
【００２３】
この場合、収納家具となる箱体９内の上部には棚板体１１で仕切られた物載置スペースが形成されており、同棚板体１１より下方のスペースでは、棚板体１１に下側に沿ってハンガー棒体２８が架設され、下端部分には引き出しキャビネット２９が設置されている。そして、前記吸湿消臭シート４は、棚板体１１と引き出しキャビネット２９との間隔に相当する高さ範囲に貼着されている。なお、それ以外は、上記第一の実施形態と同様に構成されており、請求項２に係る以外の作用効果が上記第一の実施形態におけると同様に奏される。
【図面の簡単な説明】
【００２４】
【図１】本願発明の第一の実施形態である収納扉が付設された収納家具を示す（ａ）は透視正面図、（ｂ）は横断面図、（ｃ）は縦断面図。
【図２】同収納扉における吸湿消臭シートの貼着状態を示す（ａ）は要部分解断面図、（ｂ）は要部断面図。
【図３】同収納扉における吸湿消臭シートを示す（ａ）は全体正面図、（ｂ）は全体背面図、（ｃ）は（ａ）におけるＸ−Ｘ断面分解拡大図。
【図４】本願発明の第二の実施形態である収納扉が付設された施工状態を示す正面図。
【図５】同施工状態の一部を省略して示す拡大横断面図。
【図６】同施工状態の一部を省略して示す拡大縦断面図。
【図７】本願発明の第三の実施形態である収納扉が付設された収納家具を示す正面図。
【図８】同収納家具を示す平面図。
【図９】同収納家具を示す縦断面図。
【図１０】従来例である収納扉が付設された収納装置を示す斜視図。
【符号の説明】
【００２５】
１  出し入れ開口部
２  扉本体パネル
３  裏面
４  吸湿消臭シート
５  表層
６  中層
７  裏層
８  消臭塗料
Ｔ  収納扉
Ｓ  収納スペース
ａ１、ａ２  不織布
【図１】
2006257860.tif 000003
【図２】
2006257860.tif 000004
【図３】
2006257860.tif 000005
【図４】
2006257860.tif 000006
【図５】
2006257860.tif 000007
【図６】
2006257860.tif 000008
【図７】
2006257860.tif 000009
【図８】
2006257860.tif 000010
【図９】
2006257860.tif 000011
【図１０】
2006257860.tif 000012